(57)【要約】【課題】遊技盤やパチンコ機への電源投入に伴う自己診断を図る。【解決手段】遊技盤１の製造工場またはパチンコ店のいずれにおいて、電源投入で制御部品２の検査プログラム３が起動し、当該電源投入から所定時間までに入賞部品４；５に球が投入されることで、検査プログラム３が遊技盤１に取り付けられた入賞部品５や可変入賞部品７などにおける電磁ソレノイド１３；１４の良否、サイドランプ９やランプ風車１０や完了ランプ１１および賞球ランプ１２などにおける光源１５−１８の良否を自己診断する。【選択図】　　　　図１
2004141426.tif 000002
【特許請求の範囲】
【請求項１】
遊技盤に設けられた制御部品が電源投入から所定時間までに球の入賞部品への投入に伴い遊技部品の良否を検査する検査プログラムを備えたことを特徴とする遊技盤自己診断装置。
【請求項２】
遊技盤に設けられた制御部品が電源投入に伴い遊技部品の良否を検査する検査プログラムを備えたことを特徴とする遊技盤自己診断装置。
【請求項３】
遊技盤または遊技盤の装着される遊技機枠に設けられた制御部品が電源投入から所定時間までに球の入賞部品への投入に伴い遊技部品の良否を検査する検査プログラムを備えたことを特徴とするパチンコ機自己診断装置。
【請求項４】
遊技盤または遊技盤の装着される遊技機枠に設けられた制御部品が電源投入に伴い遊技部品の良否を検査する検査プログラムを備えたことを特徴とするパチンコ機自己診断装置。
【発明の詳細な説明】
【０００１】
【発明の属する技術分野】
本発明はパチンコ機の遊技盤やパチンコ機を自己診断する装置に関する。
【０００２】
【従来の技術】
従来のパチンコ機の検査装置はパチンコに搭載された始動入賞制御・図柄制御・電動役物制御・可変入賞制御などの制御部品に検査装置を接続した状態において、パチンコ機を作動し、制御部品が発生する始動入賞・図柄変動・電動役物作動・可変入賞などの遊技情報を検査装置に出力することで、検査装置が入力された遊技情報に基づいてパチンコ機の動作を検査している（例えば、特許文献１参照）。
【０００３】
【特許文献１】
特開２０００−６１１１８号公報（第６頁、段落番号００３７−００３８、図４、図５）
【０００４】
【発明が解決しようとする課題】
しかしながら、前記従来例は検査装置が制御部品から入力された遊技情報に基づく検査を行う構造であるので、例えば、可変入賞部品の開閉体が実際に開閉するか否かという部品の動作は遊技者の目またはそれに代わるＣＣＤカメラなどで確認しなければならないという問題点があった。
【０００５】
そこで、本発明は遊技盤やパチンコ機への電源投入に伴い自己診断を行うことができる遊技盤自己診断装置およびパチンコ機自己診断装置を提供するものである。
【０００６】
【課題を解決するための手段】
本発明に係る遊技盤自己診断装置にあっては、遊技盤に設けられた制御部品が電源投入から所定時間までに球の入賞部品への投入に伴い遊技部品の良否を検査する検査プログラムを備えたことによって、遊技盤の製造工場またはパチンコ店のいずれにおいても、電源投入から所定時間までに入賞部品に球を投入することで、遊技盤に取り付けられた電磁ソレノイドの良否、光源の良否を自己診断することができる。また、上記球の投入を検査開始の条件とする検査プログラムを備えたことによって、遊技盤がパチンコ店で遊技機設置設備に取り付けられて遊技に使用され得る状態においては、電源投入から所定時間までに球を投入しなければ、検査プログラムを実行せずに通常の遊技に関するプログラムを開始するので、検査を必要とする場合と不要な場合とを球の投入と不投入とで使い分けることができる。また、本発明に係る遊技盤自己診断装置にあっては、遊技盤に設けられた制御部品が電源投入に伴い遊技部品の良否を検査する検査プログラムを備えたことによって、遊技盤の製造工場またはパチンコ店のいずれにおいても、遊技盤に取り付けられた電磁ソレノイドの良否および光源の良否を電源投入後に必ず自己診断することができる。本発明に係るパチンコ機自己診断装置にあっては、遊技盤または遊技盤の装着される遊技機枠に設けられた制御部品が電源投入から所定時間までに球の入賞部品への投入に伴い遊技部品の良否を検査する検査プログラムを備えたことによって、パチンコ機の製造工場またはパチンコ店のいずれにおいても、電源投入から所定時間までに入賞部品に球を投入することで、パチンコ機に取り付けられた電磁ソレノイドの良否、光源の良否を自己診断することができる。また、上記球の投入を検査開始の条件とする検査プログラムを備えたことによって、パチンコ機がパチンコ店で遊技機設置設備に取り付けられて遊技に使用され得る状態においては、電源投入から所定時間までに球を投入しなければ、検査プログラムを実行せずに通常の遊技に関するプログラムを開始するので、検査を必要とする場合と不要な場合とを球の投入と不投入とで使い分けることができる。また、本発明に係るパチンコ機自己診断装置にあっては、遊技盤または遊技盤の装着される遊技機枠に設けられた制御部品が電源投入に伴い遊技部品の良否を検査する検査プログラムを備えたことによって、パチンコ機の製造工場またはパチンコ店のいずれにおいても、パチンコ機に取り付けられた電磁ソレノイドの良否および光源の良否を電源投入後に必ず自己診断することができる。
【０００７】
【発明の実施の形態】
図１は第１実施形態に係る遊技盤自己診断装置を示す。図１において、遊技盤自己診断装置は遊技盤１の裏側に取り付けられる制御部品２におけるマイクロコンピュータのＲＯＭに格納された検査プログラム３を制御部品２への電源投入から数秒程度のような所定時間までにポケット形の入賞部品４または電動チューリップ形の入賞部品５に球を投入することで実行する形態である。遊技盤１は前面である意匠盤面のガイドレールで囲まれた内側の遊技領域に設けられた入賞部品４；５、アタッカーや大入賞口と呼ばれるような電動開閉体６を備える可変入賞部品７、図柄表示器８、遊技を光で演出するサイドランプ９、遊技を光と自分の動きで演出するランプ風車１０などの遊技部品を備え、意匠盤面のガイドレールで囲まれた外側の非遊技領域に完了ランプ１１や賞球ランプ１２の組み込まれた図外の盤面飾りを備える。図示は省略したが、遊技領域には球の流れや飛びを演出する図外の多数本の遊技釘、球の流れと自分の動きを演出する風車などの遊技部品も備える。
【０００８】
制御部品２は遊技制御・図柄制御・ランプ制御を担うものである。遊技制御は入賞部品４；５、可変入賞部品７などに関する制御である。図柄制御は図柄表示器８の図柄変動や図柄停止に関する制御である。ランプ制御はサイドランプ９、ランプ風車１０、完了ランプ１１、賞球ランプ１２などの点灯・消滅・点滅に関する制御である。検査プログラム３は制御部品２への電源投入に伴い遊技制御やランプ制御の制御対象である電磁ソレノイド１３；１４や光源１５；１６；１７；１８を抵抗値や電流値などの電気特性で良品判定し、判定結果を図柄表示器８に出力する処理手順である。電磁ソレノイド１３；１４は入賞部品５や可変入賞部品７などにおけるアクチュエータである。光源１５−１８はサイドランプ９、ランプ風車１０、完了ランプ１１、賞球ランプ１２などにおける電球やＬＥＤなどである。図１中の符号１９は入賞部品４に入賞した球を検出して信号を制御部品２に出力する球検出器、符号２０は入賞部品５に入賞した球を検出して信号を制御部品２に出力する球検出器である。
【０００９】
第１実施形態による自己診断について説明する。遊技盤１が遊技部品の組み付けられた組立の完了した製造出荷の場合、または、遊技盤１がパチンコ店の島と呼ばれるような遊技機設置設備に取り付けられて遊技可能な場合のいずれかにおいて、制御部品２に電源が投入され、制御部品２のマイクロコンピュータが起動してから所定時間までに入賞部品４または入賞部品５に球を投入することで検査プログラム３を実行する。具体的には、マイクロコンピュータが起動してステップ１０１がＹＥＳであって、入賞部品４または入賞部品５に球が投入されたことから球検出器１９または球検出器２０が球検出信号を制御部品２に出力したことからステップ１０２がＹＥＳであり、当該球の投入が制御部品２への電源投入から所定時間以内であることからステップ１０３がＹＥＳであると、ステップ１０４で制御部品２が電磁ソレノイド１３；１４や光源１５−１８に電力を順に供給した後、当該電力供給ごとに電磁ソレノイド１３；１４や光源１５−１８に供給している電力の抵抗値や電流値などの電気特性を検出し、検出した電気特性をＲＯＭに格納された設定電気特性と比較し、当該比較結果をステップ１０５で電磁ソレノイド１３；１４や光源１５−１８の各々における検査対象部品ごとの良否を判定し、当該判定結果をステップ１０６；１０７で図柄表示器８に出力する。ステップ１０５での判定結果が良品（ＹＥＳ）であれば、ステップ１０６で例えば図柄表示器８が「ＯＫ」を表示し、ステップ１０５での判定結果が不良品（ＮＯ）であれば、ステップ１０７で例えば図柄表示器８が「ＮＧ」を表示するので、図柄表示器８における「ＯＫ」、「ＮＧ」のような良品判定情報を検査者が確認することで、当該検査者が電磁ソレノイド１３；１４や光源１５−１８の個々の良否を把握することができる。
【００１０】
要するに、第１実施形態によれば、制御部品２の電源投入から所定時間までに入賞部品４；５に球が投入されることで作動する検査プログラム３を備えているので、遊技盤１の製造工場またはパチンコ店のいずれにおいても、電源投入から所定時間までに入賞部品４；５に球を投入することで、遊技盤１に取り付けられた入賞部品５や可変入賞部品７などにおける電磁ソレノイド１３；１４の良否、サイドランプ９やランプ風車１０や完了ランプ１１および賞球ランプ１２などにおける光源１５−１８の良否を自己診断することができる。また、遊技盤１がパチンコ店で遊技機設置設備に取り付けられて遊技に使用され得る状態においては、電源投入から所定時間までに球を投入しなければ、検査プログラム３を実行せず、通常の遊技に関するプログラムが開始されるので、検査を必要とする場合と不要な場合とを使い分けることができる。
【００１１】
図２は第２実施形態に係る遊技盤自己診断装置を示す。第１実施形態では制御部品２への電源投入から所定時間までに入賞部品４；５に球が投入されるか否かで検査プログラム３が実行されるか否かとしたのに対し、第２実施形態は検査プログラム３１を制御部品２への電源投入に伴い実行する形態である。よって、遊技盤１が遊技部品の組み付けられた組立の完了した製造出荷の場合、または、遊技盤１がパチンコ店の島と呼ばれるような遊技機設置設備に取り付けられて遊技可能な場合のいずれかにおいて、制御部品２に電源が投入され、制御部品２のマイクロコンピュータが起動するのに伴い検査プログラム３１を実行する。
【００１２】
具体的には、マイクロコンピュータが起動してステップ２０１がＹＥＳであれば、ステップ２０２で制御部品２が電磁ソレノイド１３；１４や光源１５−１８に電力を順に供給した後、当該電力供給ごとに電磁ソレノイド１３；１４や光源１５−１８における抵抗値や電流値などの電気特性を検出し、検出した電気特性をＲＯＭに格納された設定電気特性と比較し、当該比較結果をステップ２０３で電磁ソレノイド１３；１４や光源１５−１８の各々における検査対象部品ごとの良否を判定して図柄表示器８に出力する。ステップ２０３での判定結果が良品（ＹＥＳ）であれば、ステップ２０４で例えば図柄表示器８が「ＯＫ」を表示し、ステップ２０３での判定結果が不良品（ＮＯ）であれば、ステップ２０５で例えば図柄表示器８が「ＮＧ」を表示するので、図柄表示器８における「ＯＫ」、「ＮＧ」のような良品判定情報を検査者が確認することで、当該検査者が電磁ソレノイド１３；１４や光源１５−１８の個々の良否を把握することができる。要するに、第２実施形態によれば、制御部品２の電源投入に伴い作動する検査プログラム３１を備えているので、遊技盤１の製造工場またはパチンコ店のいずれにおいても、遊技盤１に取り付けられた入賞部品５や可変入賞部品７などにおける電磁ソレノイド１３；１４の良否およびサイドランプ９やランプ風車１０や完了ランプ１１および賞球ランプ１２などにおける光源１５−１８の良否を電源投入後に必ず自己診断することができる。
【００１３】
図３は第３実施形態に係るパチンコ機自己診断装置を示す。第３実施形態では、遊技機枠４１に組立完了後における遊技盤１の装着されたパチンコ機の製造出荷の場合、または、遊技機枠４１に組立完了後における遊技盤１の装着されたパチンコ機がパチンコ店の遊技機設置設備に取り付けられて遊技可能な場合のいずれかにおいて、制御部品２１に電源が投入され、制御部品２１のマイクロコンピュータが起動してステップ３０１がＹＥＳであって、入賞部品４；５に球が投入されたことからステップ３０２がＹＥＳであり、当該球の投入が制御部品２１への電源投入から所定時間以内であることからステップ３０３がＹＥＳであると、ステップ３０４で制御部品２１が電磁ソレノイド１３；１４や光源１５−１８；４４およびスピーカ４５に電力を順に供給した後、当該電力供給ごとに電磁ソレノイド１３；１４や光源１５−１８；４４およびスピーカ４５に供給している電力の抵抗値や電流値などの電気特性を検出し、検出した電気特性をＲＯＭに格納された設定電気特性と比較し、当該比較結果をステップ３０５で電磁ソレノイド１３；１４や光源１５−１８；４４およびスピーカ４５の各々における検査対象部品ごとの良否を判定し、当該判定結果をステップ３０６；３０７で図柄表示器８に出力する。
【００１４】
よって、第３実施形態によれば、パチンコ機における図柄表示器８に表示された例えば「ＯＫ」、「ＮＧ」のような良品判定情報を検査者が確認することで、当該検査者が電磁ソレノイド１３；１４や光源１５−１８；４４およびスピーカ４５の個々の良否を把握することができる。また、パチンコ機がパチンコ店で遊技機設置設備に取り付けられて遊技に使用され得る状態においては、電源投入から所定時間までに球を投入しなければ、検査プログラム３を実行せず、通常の遊技に関するプログラムが開始されるので、検査を必要とする場合と不要な場合とを使い分けることができる。
【００１５】
図４は第４実施形態に係るパチンコ機を自己診断するパチンコ機自己診断装置を示す。第３実施形態では制御部品２１への電源投入から所定時間までに入賞部品４；５に球が投入されるか否かで検査プログラム３が実行されるか否かとしたのに対し、第４実施形態は検査プログラム３１を制御部品２１への電源投入に伴い実行する形態である。よって、遊技機枠４１に組立完了後における遊技盤１の装着されたパチンコ機の製造出荷の場合、または、遊技機枠４１に組立完了後における遊技盤１の装着されたパチンコ機がパチンコ店の遊技機設置設備に取り付けられて遊技可能な場合のいずれかにおいて、制御部品２１に電源が投入され、制御部品２１のマイクロコンピュータが起動するのに伴い検査プログラム３１を実行する。
【００１６】
具体的には、マイクロコンピュータが起動してステップ４０１がＹＥＳであれば、ステップ４０２で制御部品２１が電磁ソレノイド１３；１４や光源１５−１８；４４およびスピーカ４５に電力を順に供給した後、当該電力供給ごとに電磁ソレノイド１３；１４や光源１５−１８；４４およびスピーカ４５における抵抗値や電流値などの電気特性を検出し、検出した電気特性をＲＯＭに格納された設定電気特性と比較し、当該比較結果をステップ４０３で電磁ソレノイド１３；１４や光源１５−１８；４４およびスピーカ４５の各々における検査対象部品ごとの良否を判定して図柄表示器８に出力する。ステップ４０３での判定結果が良品（ＹＥＳ）であれば、ステップ４０４で例えば図柄表示器８が「ＯＫ」を表示し、ステップ２０３での判定結果が不良品（ＮＯ）であれば、ステップ４０５で例えば図柄表示器８が「ＮＧ」を表示する。よって、図柄表示器８に表示された例えば「ＯＫ」、「ＮＧ」のような良品判定情報を検査者が確認することによって、当該検査者が電磁ソレノイド１３；１４や光源１５−１８；４４およびスピーカ４５の個々の良否を把握することができる。要するに、第４実施形態によれば、制御部品２１の電源投入に伴い作動する検査プログラム３１を備えているので、遊技機の製造工場またはパチンコ店のいずれにおいても、パチンコ機に取り付けられた電磁ソレノイド１３；１４や光源１５−１８；４４およびスピーカ４５の良否を電源投入後に必ず自己診断することができる。
【００１７】
図３および図４における光源４４は遊技機枠４１の前面飾りにおける遊技を光で演出する表示灯部品４３に設けられる電球やＬＥＤなどであり、スピーカ４５は遊技機枠４１の前面飾りにおける遊技を音で演出する音部品４２に設けられる部品である。光源４４およびスピーカ４５は遊技機枠４１に設けられた遊技部品である。図３および図４中の符号４６は遊技機枠４１の内部に装着された遊技盤１の遊技領域を遊技機枠４１の前側から見せるための透過性を有するガラスまたは透過性を有する合成樹脂からなる透過形のパネル、４７は遊技機枠４１の裏側から遊技者の側に払い出された球を受け取る皿、４８は遊技者が球を遊技領域に発射するために操作するハンドルグリップと呼ばれるような球発射操作機構である。
【図面の簡単な説明】
【図１】第１実施形態の遊技盤自己診断装置を示す模式図。
【図２】第２実施形態の遊技盤自己診断装置を示す模式図。
【図３】第３実施形態のパチンコ機自己診断装置を示す模式図。
【図４】第４実施形態のパチンコ機自己診断装置を示す模式図。
【符号の説明】
１　遊技盤
２；２１　制御部品
３；３１　検査プログラム
４１　遊技機枠
【図１】
2004141426.tif 000003
【図２】
2004141426.tif 000004
【図３】
2004141426.tif 000005
【図４】
2004141426.tif 000006